【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
凹凸シートを構成部材として含んでおり、着用者の前後方向に対応する長手方向及び該長手方向と直交する幅方向を有する吸収性物品であって、
前記凹凸シートは、前記着用者の肌に当接される肌当接面に凹部及び凸部を複数有しており、一定の方向において該凹凸シートは、前記凸部の頂部の可動範囲が、前記凸部の底部の長さに対して３０％以上であり、
前記凹凸シートの前記肌当接面は、前記一定の方向における平均摩擦係数ＭＩＵが０．３以下であり、且つ前記一定の方向に沿って往復させた往路及び復路の摩擦係数の差が０．１未満であり、
前記凹凸シートは、圧縮仕事量が２．０ｍＮ・ｃｍ／ｃｍ２以上、且つ圧縮回復率が４０％以上である、吸収性物品。
【請求項２】
前記凹凸シートは、積層された第１シート及び第２シートが複数の接合部において互いに接合されている複合シートであり、
前記第１シートは、前記接合部以外の部位において前記第２シートから離れる方向に突出した前記凸部を形成しており、
前記凸部は、前記一定の方向に沿う前記凹凸シートの厚み方向断面における該凸部の表面に沿う外周長さが、前記一定の方向における該凸部の底部の長さに対して１．２倍以上であり、
前記一定の方向に隣り合う前記凸部の頂部間の長さが、該凸部間に位置する凹部の深さに対し０．５倍以上５倍以下である、請求項１に記載の吸収性物品。
【請求項３】
前記吸収性物品の少なくとも前記長手方向において、前記凹凸シートは、前記凸部の頂部の可動範囲が、前記凸部の底部の長さに対して３０％以上である、請求項１又は２に記載の吸収性物品。
【請求項４】
前記幅方向に沿って伸縮可能な幅方向伸縮領域を有しており、
前記凹凸シートが、前記幅方向伸縮領域と部分的に重なっている、請求項１〜３の何れか１項に記載の吸収性物品。
【請求項５】
前記凹凸シートからなる表面シート、裏面シート及びこれら両シート間に配置された吸収体を具備し、前記長手方向に、着用時に着用者の腹側に配される腹側部、着用時に着用者の背側に配される背側部、及び腹側部と背側部との間に位置する股下部を有しており、
前記背側部における前記凹凸シートは、前記股下部に比して、前記長手方向における前記凸部の頂部の可動範囲が長い、請求項１〜４の何れか１項に記載の吸収性物品。
【請求項６】
前記凹凸シートは、接触冷感ｑ−ｍａｘが０．７ｋＷ／ｍ２以下である、請求項１〜５の何れか１項に記載の吸収性物品。
【請求項７】
前記凹凸シートは、積層された第１シート及び第２シートが複数の接合部において互いに接合されている複合シートであり、
前記第１シートは、前記接合部以外の部位において前記第２シートから離れる方向に突出した前記凸部を形成しており、
前記凸部は、前記一定の方向に沿う前記凹凸シートの厚み方向断面における該凸部の表面に沿う外周長さが、前記一定の方向における該凸部の底部の長さに対して１．２倍以上３倍以下である、請求項１〜６の何れか１項に記載の吸収性物品。
【請求項８】
前記一定の方向に隣り合う前記凸部の頂部間の長さが、該凸部間に位置する凹部の深さに対し０．５倍以上５倍以下である、請求項７に記載の吸収性物品。
【手続補正２】
【補正対象書類名】明細書
【補正対象項目名】００２４
【補正方法】変更
【補正の内容】
【００２４】
凹凸シート１０の肌当接面は、以下の表面特性（摩擦係数ＭＩＵ、一定の方向に沿って往復させた往路及び復路の摩擦係数の差）を有する。凹凸シート１０が、凹部３及び凸部４が相互に異なるパターンで形成された複数の領域を有する場合、該複数の領域の少なくとも一部の領域が以下の表面特性を有することが好ましい。
凹凸シート１０の肌当接面は、一定の方向における平均摩擦係数ＭＩＵが０．３以下であり、また好ましくは０．１以上であり、また好ましくは０．２７以下、より好ましくは０．２４以下である。凹凸シート１０の肌当接面は、長手方向Ｘにおける平均摩擦係数ＭＩＵが前記範囲内であることが好ましい。
凹凸シート１０の肌当接面は、一定の方向に沿って往復させた往路及び復路の摩擦係数の差が０．１未満であり、また好ましくは０．００１以上であり、また好ましくは０．０７以下、より好ましくは０．０４以下である。凹凸シート１０の肌当接面は、長手方向Ｘに沿って往復させた往路及び復路の摩擦係数の差が前記範囲内であることが好ましい。
前記平均摩擦係数ＭＩＵ並びに前記往路及び復路の摩擦係数の差は、以下の方法により測定される。なお、平均摩擦係数ＭＩＵ、並びに後述する圧縮仕事量ＷＣ及び圧縮回復率ＲＣは、以下の書籍に記載の方法に従い、カトーテック株式会社製のＫＥＳＦＢ４−ＡＵＴＯ−Ａ（商品名）を用いて測定する。
川端季雄著、「風合い評価の標準化と解析」、第２版、社団法人日本繊維機械学会風合い計量と規格化研究委員会、昭和５５年７月１０日発行
【手続補正３】
【補正対象書類名】明細書
【補正対象項目名】００８９
【補正方法】変更
【補正の内容】
【００８９】
肌触りを向上させる観点から、凹凸シート１０の凸部は、以下の構成を有することが好
ましい。
横長凸部４２は、幅方向Ｙの長さＬ１〔図６（ｂ）参照〕の長手方向Ｘの長さＬ２〔図６（ａ）参照〕に対する比（Ｌ１／Ｌ２）が、好ましくは１．１以上、より好ましくは１．５以上であり、また好ましくは６．０以下、より好ましくは４．０以下であり、また好ましくは１．１以上６．０以下、より好ましくは１．５以上４．０以下である。横長凸部４２の幅方向Ｙの長さＬ１は、好ましくは３ｍｍ以上、より好ましくは５ｍｍ以上であり、また好ましくは３０ｍｍ以下、より好ましくは１５ｍｍ以下であり、また好ましくは３ｍｍ以上３０ｍｍ以下、より好ましくは５ｍｍ以上１５ｍｍ以下である。横長凸部４２の長手方向Ｘの長さＬ２は、前述した長手方向Ｘにおける凸部４の底部４１の長さＬ２である。前記幅方向Ｙの長さＬ１は、前述の〔凸部の底部の長さの測定〕における「一定の方向」を幅方向Ｙとすることで測定する。具体的には、凹凸シートの幅方向Ｙに沿う切断面における凸部の輪郭を形成する線の始点と終点を結ぶ距離を測定する〔図６（ｂ）参照〕。前記始点と終点を結ぶ距離は、幅方向Ｙにおいて前記始点と終点の長さが最大長となる点を５個以上の凸部について測定し、その平均値を凸部の幅方向Ｙの長さＬ１とする。
横長凸部４２の幅方向Ｙの長さＬ１は、幅方向複合列Ｒ９中の長接合部３１間の距離であり、横長凸部４２の長手方向Ｘの長さＬ２は、長手方向長接合部列Ｓ３中の長接合部３１間の距離と同じである。
【手続補正４】
【補正対象書類名】明細書
【補正対象項目名】００９０
【補正方法】変更
【補正の内容】
【００９０】
横長凸部４２の高さＨ１〔図６（ｂ）参照〕は、好ましくは０．５ｍｍ以上、更に好ましくは１．０ｍｍ以上であり、また好ましくは５．０ｍｍ以下、更に好ましくは４．０ｍｍ以下であり、また好ましくは０．５ｍｍ以上５．０ｍｍ以下、更に好ましくは１．０ｍｍ以上４．０ｍｍ以下である。複合シートの凸部４に関し、高さとは、図６（ｂ）に示すとおり、第２シート２の下面から、第１シート１の上面までの距離と定義される。また高さは、デジタルマイクロスコープ（Ｋｅｙｅｎｃｅ製）を用いて各凸部断面を観察し、第２シート２の下面と凸部の頂部との最短距離を計測して得られた値とする。
【手続補正５】
【補正対象書類名】明細書
【補正対象項目名】００９５
【補正方法】変更
【補正の内容】
【００９５】
図１１では、斜め凸部４ａが長手方向Ｘに沿って複数形成された長手方向斜め凸部列Ｒ１２，Ｒ１３が２種類配されている。２種類の長手方向斜め凸部列Ｒ１２，Ｒ１３それぞれ複数列配されており、これら２種類の凸部列Ｒ１２，１３間には、長手方向Ｘに長い形状の接合部３６と、正方形形状の接合部３７とが長手方向Ｘに沿って交互に並んだ複合接合部列Ｒ１１が配されている。２種類の長手方向斜め凸部列Ｒ１２，Ｒ１３は、複合接合部列Ｒ１１に対し相互に線対称となるように配されている。斯かる構成により、線対称に配された長手方向斜め凸部列Ｒ１２，Ｒ１３間では、長手方向Ｘに沿った感触がより滑らかとなり、風合いがより向上する。このように、斜め凸部が複数並んだ２列の斜め凸部列を、相互に線対称となるように配置することが好ましい。
【手続補正６】
【補正対象書類名】明細書
【補正対象項目名】００９７
【補正方法】変更
【補正の内容】
【００９７】
以上、本発明をその好ましい実施形態に基づき説明したが、本発明は前述した各実施形態に制限されず、適宜変更可能である。
例えば、上述した実施形態では、凹凸シート１０を表面シート１２に用いていたが、該凹凸シート１０をおむつの外表面に配して用いてもよい。上述した実施形態では凹凸シートは表面シートとして用いられているが、例えば、外装体等他の構成部材に用いてもよい。外装体等であっても凹凸シートが着用者や保護者等の使用者の肌に接触するため、該使用者に快感情を生じさせる効果が得られる。
また凹部３における接合部３１，３２や他の接合部の形状、それらの配置は、適宜に決定することができる。個々の接合部の形状は、図３に示すような、長方形や正方形の他、円形、楕円形、長円形、三角形、四角形、五角形、六角形、星形、ハート形、三角形等、任意の形状を採用し得る。
また、本発明の吸収性物品は、展開型の使い捨ておむつに代えて、パンツ型（プルオンタイプ）の使い捨ておむつであっても良く、また、パンツ型又は通常の非パンツ型の生理用ナプキンであっても良く、失禁パッド、パンティライナー等であっても良い。
【手続補正７】
【補正対象書類名】図面
【補正対象項目名】図３
【補正方法】変更
【補正の内容】
【図３】
2020121202.tif 000001